【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
相変化インクを調製するプロセスであって、
（ａ）白色着色剤を、約３０から約１１０ｇの加速度の音響混合に曝すことと、
（ｂ）任意で、分散剤を加えて、前記白色着色剤および分散剤を約３０から約１１０ｇの加速度のさらなる音響混合に曝すことと、
（ｃ）別途、任意の抗酸化剤、任意の共力剤ならびに相変化インク担体であって、（ｉ）分岐トリアミドおよび（ｉｉ）ポリエチレンワックス、フィッシャー−トロプシュワックスまたはこれらの混合物もしくは組合せを含む相変化インク担体を溶融混合して、溶融混合物を形成することと、
（ｄ）（ｃ）の溶融混合物を（ａ）または（ｂ）の音響混合した白色着色剤に撹拌しながら加えることと、
（ｅ）任意で蛍光性染料を撹拌しながら加えることと、
（ｆ）任意で前記相変化インクをろ過することと、を含むプロセス。
【請求項２】
前記白色着色剤が、二酸化チタン顔料、ルチル、酸化亜鉛顔料、硫化亜鉛顔料、炭酸カルシウム顔料、クレイ、リトポンまたはこれらの混合物もしくは組合せから選択される白色顔料である、請求項１に記載のプロセス。
【請求項３】
前記白色着色剤が、約２００から約３００ナノメートルの粒径を有する二酸化チタン顔料であり、
前記白色着色剤が、インクの総重量に基づいて約１から約６０重量パーセントの量でインク中に存在する、請求項１に記載のプロセス。
【請求項４】
（ａ）または（ｂ）の音響混合ステップ、またはその組み合わせステップが、粉砕媒体の存在下で行われ、
前記粉砕媒体が、ステンレス鋼ショット、球形セラミック媒体、円筒形セラミック媒体、球形ガラスビーズ、およびこれらの組合せから成る群から選択される、請求項１に記載のプロセス。
【請求項５】
前記蛍光性染料が、ローダミン、フルオレセイン、クマリン、ナフタルイミド、ベンゾキサンテン、アクリジン、アゾ、希土類金属の配位錯体、およびこれらの混合物もしくは組合せから成る群から選択される、請求項１に記載のプロセス。
【請求項６】
音響処理された白色着色剤であって、約３０から約１１０ｇの加速度の音響混合を受けた白色着色剤と、
任意で約３０から約１１０ｇの加速度の音響混合を受けた着色剤分散剤と、
任意の共力剤と、
任意の蛍光性染料と、
（ｉ）分岐トリアミドおよび（ｉｉ）ポリエチレンワックス、フィッシャー−トロプシュワックスまたはこれらの混合物もしくは組合せを含む相変化インク担体と、を含む相変化インク。
【請求項７】
前記白色着色剤が、二酸化チタン顔料、ルチル、酸化亜鉛顔料、硫化亜鉛顔料、炭酸カルシウム顔料、クレイ、リトポンまたはこれらの混合物もしくは組合せから選択される白色顔料である、請求項６に記載の相変化インク。
【請求項８】
前記白色着色剤が、約２００から約３００ナノメートルの粒径を有する二酸化チタン顔料であり、
前記白色着色剤が、インクの総重量に基づいて約１から約６０重量パーセントの量でインク中に存在する、請求項６に記載の相変化インク。
【請求項９】
前記分散剤が、顔料親和性基を含むコポリマーおよびブロックコポリマー、またはこれらの混合物もしくは組合せから選択され、あるいは
前記分散剤は式
【化１】
2014122341.tif 000001
の化合物、またはこれらの混合物であり、式中、ＲおよびＲ’は同じであるか異なっており、ＲおよびＲ’は独立して、約３７個の炭素原子を有する直鎖状アルキル基および約４７個の炭素原子を有する直鎖状アルキル基から選択され、ｍは約１から約３０の整数である、請求項６に記載の相変化インク。
【請求項１０】
前記相変化インク担体が、インクの総重量に基づいて約０．１から約９９重量パーセントの量で存在する、請求項６に記載の相変化インク。
【請求項１１】
前記分岐トリアミドは、式
【化２】
2014122341.tif 000002
の化合物であり、式中、ｘ、ｙおよびｚはそれぞれ、独立してプロピレンオキシ繰返し単位の数を表し、ｘ＋ｙ＋ｚは約５から約６であり、ｐ、ｑおよびｒはそれぞれ、互いに独立して、−（ＣＨ2）−の繰返し単位の数を表し、約１５から約６０である、請求項６に記載の相変化インク。
【請求項１２】
前記相変化インク担体はさらに、１つまたは複数のアミドとおよび１つまたは複数のイソシアネート由来材料と、を含む、請求項６に記載の相変化インク。
【請求項１３】
前記蛍光性染料が、ローダミン、フルオレセイン、クマリン、ナフタルイミド、ベンゾキサンテン、アクリジン、アゾ、希土類金属の配位錯体、およびこれらの混合物もしくは組合せから成る群から選択される、請求項６に記載の相変化インク。
【請求項１４】
（１）インクジェット印刷装置内に、音響処理された白色着色剤であって、約３０から約１１０ｇの加速度の音響混合を受けた白色着色剤と、任意で約３０から約１１０ｇの加速度の音響混合を受けた着色剤分散剤と、任意の共力剤と、任意の蛍光性染料と、（ｉ）分岐トリアミドおよび（ｉｉ）ポリエチレンワックス、フィッシャー−トロプシュワックスまたはこれらの混合物もしくは組合せを含む相変化インク担体と、を含む相変化インク組成物を組み込むことと、
（２）インクを溶融させることと、
（３）前記溶融したインクの小滴を画像状パターンに下地材上へ吐出することと、を含むプロセス。
【請求項１５】
前記任意の蛍光性染料が存在し、
前記溶融したインクは、画像状パターンに有色の下地材上へ吐出されて、有色の下地材上に印刷画像を形成し、前記印刷画像は、紫外光下で見た場合に、色を白色から異なる色に変える、請求項１４に記載のプロセス。
【請求項１６】
前記任意の蛍光性染料が存在し、
前記溶融したインクは、画像状様に吐出されて、下地材上に白色の背景を形成し、
有色インクを前記白色の背景上に画像状様に堆積させることによって、印刷画像が形成され、前記背景は、紫外光に曝した場合に、色を白色から異なる色に変える、請求項１４に記載のプロセス。
【請求項１７】
前記下地材は、暗い下地材、黒色の下地材、茶色の下地材、ボール紙下地材、クラフト紙下地材および厚紙下地材から成る群から選択される、請求項１４に記載のプロセス。
【請求項１８】
コーティングされた下地材であって、
下地材と、その上に堆積された相変化インク組成物とを含み、
前記相変化インク組成物が、音響処理された白色着色剤であって、約３０から約１１０ｇの加速度の音響混合を受けた白色着色剤と、任意で約３０から約１１０ｇの加速度の音響混合を受けた着色剤分散剤と、任意の共力剤と、蛍光性染料と、（ｉ）分岐トリアミドおよび（ｉｉ）ポリエチレンワックス、フィッシャー−トロプシュワックスまたはこれらの混合物もしくは組合せを含む相変化インク担体と、を含む、コーティングされた下地材。
【請求項１９】
音響処理された白色着色剤であって、約３０から約１１０ｇの加速度の音響混合を受けた白色着色剤と、任意で約３０から約１１０ｇの加速度の音響混合を受けた着色剤分散剤と、任意の共力剤と、任意の蛍光性染料と、（ｉ）分岐トリアミドおよび（ｉｉ）ポリエチレンワックス、フィッシャー−トロプシュワックスまたはこれらの混合物もしくは組合せを含む相変化インク担体と、を含む相変化インク組成物を含むインクジェットプリンタスティックまたはペレット。
【請求項２０】
不可視の蛍光性染料と、
音響処理された白色着色剤であって、約３０から約１１０ｇの加速度の音響混合を受けた白色着色剤と、
任意の分散剤と、
任意の共力剤と、
（ｉ）分岐トリアミドおよび（ｉｉ）ポリエチレンワックス、フィッシャー−トロプシュワックスまたはこれらの混合物もしくは組合せを含む相変化インク担体と、を含み、
相変化インク組成物で作成される印刷画像が、通常の周囲条件下で白色に見え、紫外光
に曝すと、前記印刷画像は色を変える、セキュリティ対応相変化インク組成物。